(57)【要約】  駆動スプロケット（１４）と少なくとも１つの被駆動スプロケット（１６ａ、１６ｂ）とを取り囲む無端状ループの動力伝達部材（１２）の複数のストランドに緊張力を付与するための機械（１０）。テンショナ機構（６２）は、スロット（３６）を画定する固定された本体（３４）と、スロット（３６）の反対側端部の間で移動するためにスロット（３６）内で係合するスライダ本体（５２）と、スロット（３６）の一方の端部に向かってスライダ本体（５２）を付勢するスプリングとを有するスライダ組立体（５０）を含む。スライダ本体（５２）は、少なくとも１つのテンショニングアーム（１８ａ、１８ｂ）を駆動して、無端状ループの動力伝達部材（１２）に緊張力を作用させるために、少なくとも１つのテンショニングアーム（１８ａ、１８ｂ）と動作可能に係合可能である。リンク組立体（６４）は、第１の端部（４０ａ、４０ｂ）においてスライダ本体（５２）に枢支連結されかつ第２の端部（４２ａ、４２ｂ）において２つのテンショニングアーム（１８ａ、１８ｂ）に個別に連結された２つのリンク部材（３２ａ、３２ｂ）を含むことができる。
2013526691.tif 000002
【特許請求の範囲】
【請求項１】
駆動スプロケット（１４）と少なくとも１つの被駆動スプロケット（１６ａ、１６ｂ）とを取り囲む無端状ループの動力伝達部材（１２）に緊張力を付与するためのテンショニングシステム（１０）であって、
少なくとも１つのテンショニングアーム（１８ａ、１８ｂ）であって、各々のテンショニングアーム（１８ａ、１８ｂ）が無端状ループの動力伝達部材（１２）に対する移動のために取り付けられ、かつ摺動面（２２ａ、２２ｂ）を有するシュー（２０ａ、２０ｂ）を有する少なくとも１つのテンショニングアーム（１８ａ、１８ｂ）と、
外端を有するスロット（３６）を画定する堅固に固定されたスロット付き本体（３４）を有するスライダ組立体（５０）を含む一方向の減衰機構（６２）を有する機械式テンショナと、前記固定されたスロット付き本体（３４）の前記スロット（３６）に維持され、かつ前記無端状ループの動力伝達部材（１２）に対して前記少なくとも１つのテンショニングアーム（１８ａ、１８ｂ）を駆動して移動させるために前記少なくとも１つのテンショニングアーム（１８ａ、１８ｂ）に動作可能に連結されたスライダ本体（５２）と、前記スライダ本体（５２）を所定の方向に付勢するために、前記固定されたスロット付き本体（３４）と前記スライダ本体（５２）との間に係合可能な付勢スプリング（６０）と、
を備えるテンショニングシステム（１０）。
【請求項２】
各々のテンショニングアーム（１８ａ、１８ｂ）がリンク枢支部（２８ａ、２８ｂ）を有する１対のテンショニングアーム（１８ａ、１８ｂ）を含む前記少なくとも１つのテンショニングアーム（１８ａ、１８ｂ）と、
第１及び第２のリンク部材（３２ａ、３２ｂ）を含むリンク組立体（６４）であって、各々のリンク部材（３２ａ、３２ｂ）が、対応する第１の端部（４０ａ、４０ｂ）と、対応する第２の端部（４２ａ、４２ｂ）とを有し、各々の第２の端部（４２ａ、４２ｂ）が、前記１対のテンショニングアーム（１８ａ、１８ｂ）の一方の前記対応するリンク枢支部（２８ａ、２８ｂ）に連結されるリンク組立体（６４）と、
をさらに備える、請求項１に記載のテンショニングシステム（１０）。
【請求項３】
前記無端状ループの動力伝達部材（１２）に対し略中央にまた前記伝達部材（１２）の内側に位置し、かつ前記駆動スプロケット（１４）と前記少なくとも１つの被駆動スプロケット（１６ａ、１６ｂ）との間に延在する前記固定されたスロット付き本体（３４）と、前記スロット（３６）によって画定される運動に対して両方の第１の端部（４０ａ、４０ｂ）を制限するために、前記第１及び第２のリンク部材（３２ａ、３２ｂ）の前記第１の端部（４０ａ、４０ｂ）に枢支拘束された前記スライダ本体（５２）とをさらに備える、請求項２に記載のテンショニングシステム（１０）。
【請求項４】
前記スライダ組立体（５０）が、前記スロット付き本体（３４）の前記スロット（３６）内に前記スライダ本体（５２）を維持するための前記スロット付き本体（３４）の両側の前記リンク部材（３２ａ、３２ｂ）に取り付けるために、前記スライダ本体（５２）に連結されかつ反対側の前記スロット付き本体（３４）を越えて前記スライダ本体（５２）から外側に延在するピン（３８）をさらに備える、請求項２に記載のテンショニングシステム（１０）。
【請求項５】
前記スライダ組立体（５０）が、
前記スライダ本体（５２）と、前記スロット付き本体（３４）の前記スロット（３６）を画定する側壁（３４ｃ）との間のポケット（５２ａ）を画定する前記スライダ本体（５２）と、
前記スライダ本体（５２）が前記付勢スプリング（６０）の付勢に対抗して移動するときに、前記側壁（３４ｃ）に向かって移動するために前記ポケット（５２ａ）に位置する１対のウェッジ（５６）と、
前記スロット付き本体（３４）の前記側壁（３４ｃ）に向かって前記ウェッジ（５６）を付勢するウェッジスプリング（５８）と、
をさらに備える、請求項１に記載のテンショニングシステム（１０）。
【請求項６】
前記スライダ組立体（５０）が、
前記スライダ本体（５２）を通して延在するウェッジスプリング受容開口（５２ｅ）を画定する前記スライダ本体（５２）と、
前記スライダ本体（５２）の前記ウェッジスプリング受容貫通開口（５２ｅ）と同軸のウェッジスプリング受容ブラインド開口（５２ｃ）を画定する各々のウェッジ（５６）と、
前記同軸のウェッジスプリング受容開口（５２ｅ）内に位置する圧縮スプリングを画定する前記ウェッジスプリング（５８）と、
をさらに備える、請求項５に記載のテンショニングシステム（１０）。
【請求項７】
前記スライダ組立体（５０）が、前記スロット付き本体（３４）の前記スロット（３６）と係合しかつ前記スロットと共に移動するために前記スライダ本体（５２）に連結されたヨーク（３０）をさらに備える、請求項５に記載のテンショニングシステム（１０）。
【請求項８】
前記スライダ組立体（５０）が、
ウェッジスプリング受容スロット（３０ａ）を画定する前記ヨーク（３０）と、
前記ヨーク（３０）の前記ウェッジスプリング受容スロット（５２ｇ）と位置合わせされたウェッジスプリング受容スロット（５６ｂ）を画定する各々のウェッジ（５６）と、
前記位置合わせされたウェッジスプリング受容スロット（５２ｇ、５６ｂ）内に位置するワイヤ形態のスプリングを画定する前記ウェッジスプリング（５８ａ）と、
をさらに備える、請求項７に記載のテンショニングシステム（１０）。
【請求項９】
前記スライダ組立体（５０）が、付勢スプリング（６０）で前記少なくとも１つのテンショニングアーム（１８ａ、１８ｂ）に力を加えるために、前記スライダ本体（５２）に連結されかつ前記スロット（３６）の一方の端部（３６ｂ）から前記スライダ本体（５２）から外側方向に延在するピン（５２ｆ）をさらに備える、請求項１に記載のテンショニングシステム（１０）。
【請求項１０】
それぞれの間隔を空けた回転軸線を中心に回転可能な間隔を空けた装置（１４、１６ａ、１６ｂ）の曲率半径に従うために、無端状ループの動力伝達部材（１２）の複数のストランドに緊張力を付与するための、また各々の装置（１４、１６ａ、１６ｂ）が、前記間隔を空けた装置（１４、１６ａ、１６ｂ）の間の前記無端状ループの動力伝達部材（１２）の意図する動力伝達係合のために回転軸線から半径方向に間隔を空けた駆動面を有する機械（１０）であって、
互いに独立した移動のためにそれぞれの外端（２８ａ、２８ｂ）において互いに間隔を空けた２つのテンショニングアーム（１８ａ、１８ｂ）であって、摺動面（２２ａ、２２ｂ）を有する内側方向に面するシュー（２０ａ、２０ｂ）を支持する２つのテンショニングアーム（１８ａ、１８ｂ）と、
スライダ組立体（５０）とリンク組立体（６４）とを含むテンショナ機構（６２）であって、前記スライダ組立体（５０）が、前記間隔を空けた装置（１４、１６ａ、１６ｂ）の間に位置する前記無端状ループの動力伝達部材（１２）の中心線に沿って略延在するスロット（３６）を画定する固定されたスロット付き本体（３４）を含むテンショナ機構（６２）と、前記スロット（３６）の反対側の長手方向端部の間の移動を制限するために前記スロット内で係合するスライダ本体（５２）と、前記スロット（３６）の一方の長手方向端部に向かって前記スライダ本体（５２）を付勢するための付勢スプリングとを含み、前記リンク組立体（６４）が、それぞれの第１の端部（４０ａ、４０ｂ）において互いに枢支連結された少なくとも２つのリンク部材（３２ａ、３２ｂ）を有し、前記連結された第１の端部（４０ａ、４０ｂ）が、前記スロット（３６）に沿った移動を制限するために拘束され、前記少なくとも２つのリンク部材（３２ａ、３２ｂ）が、前記第１の端部（４０ａ、４０ｂ）から間隔を空けた第２の位置（４２ａ、４２ｂ）において、前記２つの間隔を空けたテンショニングアーム（１８ａ、１８ｂ）の反対側のそれぞれの外端（２８ａ、２８ｂ）に個別に枢支連結され、前記テンショナ機構（６２）が、両方のストランドでほとんど同時にかつほとんど等しく前記無端状ループの動力伝達部材（１２）に緊張力を作用させるための運動で前記テンショニングアーム（１８ａ、１８ｂ）を駆動するためにあるテンショナ機構（６２）と、
を備える機械（１０）。
【請求項１１】
前記スライダ組立体（５０）が、
前記スライダ本体（５２）と、前記スロット付き本体（３４）の前記スロット（３６）を画定する側壁（３４ｃ）との間のポケット（５２ａ）を画定する前記スライダ本体（５２）と、
前記スライダ本体（５２）が前記付勢スプリング（６０）の付勢に対抗して移動するときに、前記側壁（３４ｃ）に向かって移動するために前記ポケット（５２ａ）に位置する１対のウェッジ（５６）と、
前記スロット付き本体（３４）の前記側壁（３４ｃ）に向かって前記ウェッジ（５６）を付勢するウェッジスプリング（５８）と、
をさらに備える、請求項１０に記載の機械。
【請求項１２】
前記スライダ組立体（５０）が、
前記スライダ本体（５２）を通して延在するウェッジスプリング受容開口（５２ｅ）を画定する前記スライダ本体（５２）と、
前記スライダ本体（５２）の前記ウェッジスプリング受容貫通開口（５２ｅ）と同軸のウェッジスプリング受容ブラインド開口（５２ｃ）を画定する各々のウェッジ（５６）と、
前記同軸のウェッジスプリング受容開口（５２ｅ）内に位置する圧縮スプリングを画定する前記ウェッジスプリング（５８）と、
をさらに備える、請求項１１に記載の機械。
【請求項１３】
前記スライダ組立体（５０）が、前記スロット付き本体（３４）の前記スロット（３６）と係合しかつ前記スロットと共に移動するために前記スライダ本体（５２）に連結されたヨーク（３０）をさらに備える、請求項１１に記載の機械。
【請求項１４】
前記スライダ組立体（５０）が、
ウェッジスプリング受容スロット（３０ａ）を画定する前記ヨーク（３０）と、
前記ヨーク（３０）の前記ウェッジスプリング受容スロット（５２ｇ）と位置合わせされたウェッジスプリング受容スロット（５６ｂ）を画定する各々のウェッジ（５６）と、
前記位置合わせされたウェッジスプリング受容スロット（５２ｇ、５６ｂ）内に位置するワイヤ形態のスプリングを画定する前記ウェッジスプリング（５８ａ）と、
をさらに備える、請求項１３に記載の機械。
【請求項１５】
前記スライダ組立体（５０）が、前記スロット付き本体（３４）の前記スロット（３６）内に前記スライダ本体（５２）を維持するための前記スロット付き本体（３４）の両側の前記リンク部材（３２ａ、３２ｂ）に取り付けるために、前記スライダ本体（５２）に連結されかつ反対側の前記スロット付き本体（３４）を越えて前記スライダ本体（５２）から外側に延在するピン（３８）をさらに備える、請求項１０に記載の機械。
【請求項１６】
前記スライダ組立体（５０）が、前記付勢スプリング（６０）で前記テンショニングアーム（１８ａ、１８ｂ）に力を加えるために、前記スライダ本体（５２）に連結されかつ前記スロット（３６）の一方の端部（３６ｂ）から前記スライダ本体（５２）から外側方向に延在するピン（５２ｆ）をさらに備える、請求項１０に記載の機械。
【請求項１７】
それぞれの間隔を空けた回転軸線を中心に回転可能な間隔を空けた装置（１４、１６ａ、１６ｂ）の曲率半径に従うために、無端状ループの動力伝達部材（１２）の少なくとも１つのストランドに緊張力を付与するための、また各々の装置（１４、１６ａ、１６ｂ）が、前記間隔を空けた装置（１４、１６ａ、１６ｂ）の間の前記無端状ループの動力伝達部材（１２）の意図する動力伝達係合のために回転軸線から半径方向に間隔を空けた駆動面と、前記無端状ループの動力伝達部材（１２）に対して独立して移動するために取り付けられ、かつ摺動面（２２ａ、２２ｂ）を有する内側方向に面するシュー（２０ａ、２０ｂ）を支持する少なくとも１つのテンショニングアーム（１８ａ、１８ｂ）とを有する機械（１０）であって、
スライダ組立体（５０）を含むテンショナ機構（６２）であって、前記スライダ組立体（５０）が、スロット（３６）を画定する固定されたスロット付き本体（３４）と、前記スロット（３６）の反対側の長手方向端部の間の移動を制限するために前記スロット（３６）内で係合するスライダ本体（５２）と、前記スロット（３６）の一方の長手方向端部に向かって前記スライダ本体（５２）を付勢するための付勢スプリングとを有し、前記無端状ループの動力伝達部材（１２）の少なくとも１つのストランドに緊張力を作用させる運動で前記少なくとも１つのテンショニングアーム（１８ａ、１８ｂ）を駆動するために前記少なくとも１つのテンショニングアーム（１８ａ、１８ｂ）と係合可能であるテンショナ機構（６２）を備える、
機械（１０）。
【発明の詳細な説明】
【技術分野】
【０００１】
本発明は、駆動スプロケット及び少なくとも１つの被駆動スプロケットを取り囲む動力伝達部材又はチェーンに緊張力を付与するためのテンショニングシステムに関し、より詳細には、動力伝達部材又はチェーンの複数のストランドに同時に緊張力を作用させるテンショナに関する。
【背景技術】
【０００２】
エンジンのチェーンテンショナは、チェーンが複数のスプロケットの周りに移動するときに動力伝動チェーンを制御するために使用される。チェーンの弛みは、エンジン内の温度上昇及びチェーンの摩耗につれ変化する。チェーンが摩耗すると、チェーンは伸長し、チェーンの弛みが増大する。弛みの増大は、チェーンとスプロケット歯との間のノイズ、スリップ、又は歯飛びを引き起こすことがある。チェーンの弛みの増大がチェーン駆動カムシャフトを有するエンジン内の例えばテンショナによって取り除かれない場合、カムシャフトタイミングがスリップ又は歯飛びのため数度ずれるので、エンジンが破損するおそれがある。
【０００３】
閉ループチェーンテンショナシステムの様々な構造が、米国特許第７，４７６，１６８号明細書、米国特許第７，４２９，２２６号明細書、米国特許第６，９５５，６２１号明細書、米国特許第６，３２２，４７０号明細書、米国特許第５，９５１，４２３号明細書、米国特許第５，４８９，０５６号明細書、米国特許第３，８５６，１０１号明細書、米国特許第２，２１０，２７６号明細書、仏国特許第２，８３２，３５８号明細書、及び日本国特許第２００２−０８９，６３６号明細書から公知である。これらの構造の各々はその意図する機能を実行するために十分であるが、いくつかのこれらの構造によって提供されるテンショナドライバ用の空間及び配置箇所が制限される。これらの制限を克服し、かつ以下に述べるような追加の利益を提供するテンショニングシステムを提供することが望ましいであろう。
【発明の概要】
【課題を解決するための手段】
【０００４】
テンショニングシステムは、駆動スプロケットと少なくとも１つの被駆動スプロケットとを取り囲むチェーンの無端状ループに緊張力を付与する。機械式テンショナは、固定スロット付き本体と、２つの内部の対向する傾斜面を有するスライダ本体を有するスライダ組立体と、スライダ組立体を一方向に付勢するための少なくとも１つのウェッジスプリング及び付勢スプリングとを含むことができる。スライダ組立体が付勢されると、対応するウェッジポケット内のウェッジが伴う。スライダ組立体が付勢方向と反対側に移動するように強制されると、ウェッジスプリングは、ウェッジをスロット付き本体のスロット側面と強制接触させる。この接触による摩擦は、さらなる移動からのウェッジ効果を加えて、この摩擦を増大させる。ウェッジ角は、スライダ組立体のウェッジとスロットの側面との間の結合点への摺動（すなわち摩擦）に対する抵抗を決定する。スライダ本体を通して挿入されたピンは、スロット付き本体のスロット内にスライダを収容するために、また各々がタイミングチェーンと接触するための摩擦面を有する１つ以上のテンショニングアームを、弛みを取り除いて、緊張荷重を加えるためのタイミングチェーンストランド又はベルトストランド内に引くか又は押すために、両側で、リンク部片を枢支取付けすることを可能にする。
【０００５】
他の用途は、本発明を実施するために意図された最善の様式についての以下の説明を添付図面と関連して読めば、当業者には明らかであろう。
【０００６】
本明細書の説明は添付図面について言及しており、同様の参照番号は複数の図面を通して同様の部分を指す。
【図面の簡単な説明】
【０００７】
【図１】無端状ループのベルト又はチェーン、駆動スプロケット、少なくとも１つの被駆動スプロケット、及び一方向の減衰を有する機械式テンショナを有する複数のストランドのテンショニング装置を含むタイミングシステムの正面図である。
【図２Ａ】無端状ループのベルト又はチェーン、駆動スプロケット、少なくとも１つの被駆動スプロケット、及び分かりやすくするために取り除いたリンク組立体図１の一方向の減衰を有する機械式テンショナの分解斜視図又は等角図である。
【図２Ｂ】図２Ａの一方向の減衰を有する機械式テンショナの組立図である。
【図３Ａ】無端状ループのベルト又はチェーン、駆動スプロケット、少なくとも１つの被駆動スプロケット、及び分かりやすくするために取り除いたリンク組立体を有する一方向の減衰を有する他の機械式テンショナの分解斜視図又は等角図である。
【図３Ｂ】図３Ａの一方向の減衰を有する機械式テンショナの組立図である。
【図４Ａ】無端状ループのベルト又はチェーン、駆動スプロケット、少なくとも１つの被駆動スプロケット、及び分かりやすくするために取り除いたリンク組立体を有する一方向の減衰を有する他の機械式テンショナの分解斜視図又は等角図である。
【図４Ｂ】図４Ａの一方向の減衰を有する機械式テンショナの組立図である。
【図５】無端状ループのベルト又はチェーン、駆動スプロケット、少なくとも１つの被駆動スプロケット、及び一方向の減衰を有する機械式テンショナを有する複数のストランドのテンショニング装置を含むタイミングシステムの正面図である。
【発明を実施するための形態】
【０００８】
「ベルト」又は「チェーン」という用語は、本明細書において同義的に使用されているように、無端状ループを形成し、かつ動力伝達部材がプーリ又はスプロケット駆動面の曲率半径に従うことを許容するように可撓性材料から又は関節式の剛性リンクから構成され、また使用中に、無端状経路で、またプーリ又はスプロケットから動力を伝達するか又は抽出するために、プーリ又はスプロケット駆動面との接触によって駆動されるように意図された任意の動力伝達部材である。「プーリ」又は「スプロケット」という用語は、本明細書において同義的に使用されているように、無端状経路でベルト又はチェーンを駆動するかあるいはベルト又はチェーンから動力を抽出して出力負荷装置を駆動するために、ベルト又はチェーンと意図的に動力伝達係合するために軸線を中心に回転可能であり、かつ回転軸線から半径方向に間隔を空けた駆動面を有する装置である。本明細書に使用されるような「ガイドロール」という用語は、意図する走行路に沿ってベルト又はチェーンを方向付けるのを助けるために、ベルト又はチェーンと意図的に係合するために軸線を中心に回転可能であり、かつ回転軸線から半径方向に間隔を空けたベルト又はチェーン接触面を有する装置である。ガイドロールは、プーリ又はスプロケットとは区別されるように、ベルト又はチェーンに駆動力を提供するように、あるいは動力をそれから抽出するように意図されない。本明細書に使用されるような「テンショニングアーム」という用語は、ベルト又はチェーンと係合可能なプーリ又はスプロケット以外の部材であり、ベルト又はチェーンとプーリ又はスプロケット駆動面との間の望ましい駆動牽引を維持するために、ベルト又はチェーン内の引張応力の増加又は減少あるいは任意の望ましくないベルト又はチェーンの弛みの取り除きを生じさせる方向に、ベルト又はチェーンに対して調整可能又は相対移動可能である。テンショニングアームは、ガイドロールとは区別されるように、ベルト又はチェーンに接触するための回転不能な面部分を有し、この場合、ベルト又はチェーンはテンショニングアームの面部分の上方で摺動する。
【０００９】
図１は、駆動軸と被駆動軸とからそれぞれ支持された駆動スプロケット１４及び少なくとも１つの被駆動プロケット１６ａ、１６ｂの周りに巻回された、一例としてかつ限定なしにベルト又はチェーンのような無端状ループの動力伝達部材１２を含む複数のストランドのテンショニング装置又は機械１０を示している。望むならガイドロールも設けることができる。動力伝達部材１２の張ったストランド及び弛んだストランドの両方の外側に、テンショニングアーム１８ａ、１８ｂがある。テンショニングアーム１８ａ、１８ｃの各々は、アームの相当の長さに沿って延在するチェーン摺動面２２ａ、２２ｂを有する巻付け式シュー２０ａ、２０ｂを含む追従性面組立体を有することができる。ブレード型スプリングは、必要に応じて補完して緊張力を作用させるために、アーム本体とシュー２０ａ、２０ｂとの間のテンショニングアーム１８ａ、１８ｂ内に適用することができる。望むなら、各々のシュー２０ａ、２０ｂは、追従面組立体のポケット内に位置決めされたブレード型スプリングでスプリング荷重することができる。スプリングは、テンショニングアーム１８ａ、１８ｂと、テンショニングアームからシューを変形させる対応するシュー２０ａ、２０ｂとの間に配置することができる。テンショニングアーム１８ａ、１８ｂのスプリング荷重されたシュー２０ａ、２０ｂは、局部的なストランド緊張力作用を可能にし、２つのテンショニングアーム１８ａ、１８ｂが共に連結されることによるテンショニングアーム１８ａ、１８ｂの運動制限を補完することができ、あるいは意図的に軟化されたテンショナスプリングを提供することができる。望むなら、テンショニングシューのスプリング荷重は任意である。同様に、テンショニングアーム１８ａ、１８ｂの本体と対応するシュー２０ａ、２０ｂとの間のブレード型スプリングを省略でき、追従性面組立体を省略できるであろうことを認識すべきである。
【００１０】
チェーンストランドの内側に、好ましくはチェーンの中心線（すなわち、チェーンの２つのストランドの間に等距離に間隔を空けた線）に沿って、堅固に固定されたスロット付き本体３４があり、この本体によって、駆動スプロケット１４と少なくとも１つの被駆動スプロケット１６ａ、１６ｂとの間に略延在する外端を有するスロット３６が画定される。固定された本体３４は、図１に最善に示されているように、無端状ループのチェーン１２に対し略中央に、かつ当該チェーン１２の内側に位置する。スライダ組立体５０はスロット３６に維持される。スライダ組立体５０は、２つの傾斜面５４を有するスライダ本体５２、少なくとも２つのウェッジ５６、少なくとも１つのウェッジスプリング５８、及びスライダ組立体５０を一方向に付勢するための付勢スプリング６０を含むことができる。スライダ本体５２は、第１のリンク部材３２ａの第１の端部４０ａ及び第２のリンク部材３２ｂの第１の端部４０ｂに枢支拘束することができ、スロット３６によって画定された移動に対する第１及び第２のリンク部材３２ａ、３２ｂの第１の端部４０ａ、４０ｂの両方の移動を制限する。スロット本体３４は、第１の端部４０ａ、４０ｂの横方向運動及び被駆動スプロケット１６ａ、１６ｂのクロッキングを制限する。第１のテンショニングアーム１８ａのリンク端部２８ａは、第１のリンク部材３２ａの第２の端部４２ａに枢支取付けすることができる。第２のテンショニングアーム１８ｂのリンク端部２８ｂは、第２のリンク部材３２ｂの第２の端部４２ｂに枢支取付けすることができる。
【００１１】
望むなら、図１に示した被駆動プロケットに追加の被駆動プロケットを加えることもできる。テンショニングアーム１８ａ、１８ｂ、リンク部材３２ａ、３２ｂ、固定本体３４を画定するスロット、及びスライダ組立体５０を逆向きにすることができ、このため、テンショニングアーム１８ａ、１８ｂの枢支端部２４ａ、２４ｂは、カム又は被駆動スプロケット１６ａ、１６ｂの近くに位置する。複数のストランドのテンショニング装置１０は、駆動プーリ又はスプロケット１４及び少なくとも１つの被駆動プーリ又はスプロケット１６ａ、１６ｂを有する任意の駆動装置に使用することができる。
【００１２】
望むなら、図５に示したような１つの共通のアーム枢支ピン２６ｃをチェーンループの内側の駆動スプロケットの近くに配置することができるか、あるいは代わりに２つの個々のアーム枢支ピン２６ａ、２６ｂを図１に示したようにチェーンループの外側の駆動スプロケットの近くに配置することができることを認識すべきである。望むなら、２つの個々のアーム枢支ピンをチェーンループの外側の１つ又は複数の被駆動スプロケットの近くに配置することができることも認識すべきである。連続ベルト又はチェーンのような無端状ループの動力伝達部材１２は、駆動プーリ又はスプロケット１４及び少なくとも１つの被駆動プーリ又はスプロケット１６ａ、１６ｂを取り囲むことができる。駆動プーリ又はスプロケット１４は、連続的な無端状ループのチェーン１２の経路の一部分を固定することができ、一方、少なくとも１つの被駆動スプロケット１６ａ、１６ｂは、連続的な無端状ループの動力伝達部材１２の経路の他の部分を固定する。
【００１３】
次に図２Ａと図２Ｂを参照すると、一方向の減衰機構６２を有する機械式テンショナは、チェーン１２の一次緊張力作用を引き起こす力の源であり、スライダ組立体５０と、リンク部材３２ａ、３２ｂを含むリンク組立６４を含むことができる。機械式テンショナ機構６２のスライダ組立体５０が、付勢スプリング６０によって固定本体３４に対して一方向に付勢されると、スライダ本体５２は、力を第１及び第２のリンク部材３２ａ、３２ｂに加え、対応する枢支モーメントを第１及び第２のアーム１８ａ、１８ｂのリンク端部に加え、緊張力を作用させてチェーンの中心線に向かって第１及び第２のテンショニングアーム１８ａ、１８ｂを同時に移動させつつ、第１及び第２のリンク部材３２ａ、３２ｂの第１及び第２の端部４０ａ、４０ｂが固定本体３４のスロット３６内で移動するように強制する。リンク部材３２ａ、３２ｂの第１及び第２の端部４０ａ、４０ｂがスライダ本体５２に枢支取付けされると、リンク部材３２ａ、３２ｂも固定本体３４のスロット３６に対して移動し、相応して第１及び第２のテンショニングアーム１８ａ、１８ｂをチェーンの中心線に向かって移動させ、これによって、両方のストランドでほとんど同時にかつほとんど等しくチェーン１２に緊張力を作用させる。
【００１４】
機械式テンショナ機構６２は、機械式テンショナ組立体６２を形成する他の構成要素を固定かつ収容するためのスロット付き本体３４を含むことができる。スロット付き本体３４は、固定開口３４ｂを通して、限定しない一例としてねじボルトなどの締結具を受容するための当該固定開口３４ｂを有する取付面３４ａを有することができる。スロット３６の末端３４ｅの外側からスロット側面３４ｃ及びブラインド開口３４ｄによって画定された離れた直角の細長スロット３６は、固定開口３４ｂの近傍で終わる。スライダ本体５２は、内部傾斜面５４を有し、三角形の断面を有する反対側５２ｂの２つのポケット５２ａを含むことができるか又は画定することができ、三角形の短い辺はスライダ本体５２の一方の端部５２ｄの近くにある。スライダ本体のポケット５２ａは、スライダ本体５２がスロット３６内に配置されるときに、各々のウェッジ５６の側面５６ａがスライダ本体５２の側面５２ｂ及びスロット付き本体３４のスロット３６の側面３４ｃに対して平行であるように位置決めされた２つの整合する三角形ウェッジ５６を収納する。ポケット５２ａの間の交差穿孔された開口５２ｅは、ウェッジ５６とスロット側面３４ｃとの間の摩擦力を維持するために軽く荷重された圧縮スプリング５８を収納する。ピン３８は、引くか又は押すためのリンク部材３２ａ、３２のような収容特徴部、又はスロット幅よりも大きな直径を有する（図５に示したような）座金６８を取り付けるために、ポケット５２ａを有する側面５２ｂに対して直角のスライダ本体５２の両側から突出する。ブラインド開口３４ｄは、スロット付き本体３４のボルト止め端部からスライダ本体５２及びウェッジ５６を付勢するための圧縮スプリング６０を収納することができる。スライダ本体５２がスロット付き本体３４のボルト止め端部から付勢スプリング６０によって付勢されると、ウェッジ５６はそれに伴い押され、その間スロット側面３４ｃとの軽い接触が維持される。スライダ本体５２が、付勢スプリング６０に対して移動するように方向を反転した場合、ウェッジ５６とスロット側壁３４ｃとの摩擦により、ウェッジ５６はそれらの対向する傾斜面に対して引きずられ、ウェッジ５６は傾斜面及びウェッジ５６の角度に比例して外側方向に強制され、さらに摩擦荷重が増大され、付勢スプリング６０に対する移動が阻止される。
【００１５】
スロット付き本体３４は、取付面３４ａと、スロット側壁３４ｃによって画定された大きな貫通卵形スロット３６と、スロット３６の一方の端部３６ａに位置する圧縮スプリング６０用のブラインド開口３４ｄと、スロット３４を通してスロット３６の底部からオフセットされた取付パッド又は表面３４ａへのスロット３６に対して平行の取付開口３４ｂとを含むことができる。スロット付き本体３４は、組立体を固定するための取付開口３４ｂと、スライダ本体５２を直線運動に拘束するためのスロット側面３４ｃ、所望の緊張力を提供しつつ、スライダ本体５２を一方のスロット端部３６ａから他方の端部３６ｂに向かって付勢する圧縮スプリング６０を収納するための開口３４ｄとを収容することができる。
【００１６】
一般に押出成形される長方形状のスライダ本体５２は、スロット付き本体３４のスロット３６の側面３４ｃの間に緩く嵌合することができ、両側５２ｂのポケット５２ａは狭い壁頂及び壁底を有する。各々のポケット５２ａは、直角三角形の形状の頂面と底面を有し、隣接する側面はスライダ本体５２の側面５２ｂに共通であり、反対側の側面はスライダ本体５２の側面５２ｂに対し直角であり、かつスロット付き本体３４のブランド開口３４ｄの隣りの端部３６ａの近くの表面を形成する。貫通開口５２ｃは、頂部から底部のスライダ本体５２の直角端部の間に、またスロット付き本体３４のブランド開口３４ｄから離れた端部３６ｂの近くの中心線に存在することができる。スライダ本体５２は、テンショニングリンク部材３２ａが取り付けられるピン３８用の開口３８ａと、ウェッジ５６を拘束し、かつウェッジスプリング５８の力によってウェッジ５６をスロット付き本体３４のスロット３６の側面３４ｃと強制接触させるためのウェッジスプリング５８及びポケット５２ａ用の交差穿孔された開口５２ｅとを収容することができる。
【００１７】
スライダ本体５２を付勢するための圧縮スプリング６０は、スロット付き本体３４内に位置決めすることができる。圧縮スプリング６０は、取付開口３４ｂの最も近くのスロット付き本体３４のスロット３６の端部３６ａで収納することができ、ピン３８とリンク部材３２ａ、３２ｂとを通してテンショニングアーム１８ａ、１８ｂと無端状ループの動力伝達部材１２のストランドとに付与された緊張力をスライダ本体５２に加えることができる。
【００１８】
スライダ本体のポケット５２ａ内に嵌合するための直角三角形の形状の頂部と底部を有するウェッジ５６は、斜辺を表す側面に隣接して中央に位置する側面に対し直角の細長い平坦な底部孔５６ｃを有することができる。ウェッジ５６は、スロット付き本体３４のスロット側面３４ｃに対して軽い接触力を維持するようにウェッジ５６を強制する方向に、ウェッジスプリング５８の力によって付勢されることができる。スライダ本体５２が圧縮スプリング６０に対して移動すると、ウェッジ角により、スロット側面３４ｃに対する接触力が増倍される。
【００１９】
圧縮スプリング５８は、スロット側面３４ｃに対して直角に位置するスライダ本体の開口５２ｅ内に配置することができ、ウェッジ５６とスロット側面３４ｃとの間の摩擦を維持するためのウェッジ５６の平坦な底部孔５６ｃに端部を有する。ウェッジスプリング５８は、ウェッジ５６をスロット付き本体３４のスロット３６の側面３４ｃと強制接触させることができる。
【００２０】
ピン３８は、リンク部材３２ａ、３２ｂを取り付けるために、スライダ本体５２の頂部と底部から突出することができる。リンク部材３２ａ、３２ｂはピン３８に連結され、リンク部材３２ａ、３２ｂがスロット付き本体３４のスロット３６内にスライダ本体５２を収容することができるように、少なくとも１つのリンク部材３２ａ、３２ｂはスロット付き本体３４の一方の側面に位置し、少なくとも１つのリンク部材３２ａ、３２ｂはスロット付き本体３４の反対側に位置する。
【００２１】
少なくとも２つのリンク部材３２ａ、３２ｂをピン３８に連結することができ、一方のリンク部材３２ａ、３２ｂはスライダ本体５２の両側にあり、スロット付き本体３４の外側に位置する。リンク部材３２ａ、３２ｂは、スライダ本体５２をスロット付き本体３４のスロット３６内に維持するためにスライダ本体５２の頂部と底部のスライダピンに取り付けることができ、その他方の端部は、緊張力作用機能のために引くか又は押す必要があるときは常に連結することができる。
【００２２】
スロット付き本体３４は、テンショナ機構６２用のアンカーを提供することができ、スロット３６は、緊張力作用運動の方向を決定することができ、また側面３４ｃは、緊張力作用運動を反転するための力が必要な場合、ウェッジ５６との結合を提供することができる。スライダ本体５２は、スライダ本体５２をスロット付き本体３４内に収容するために、また圧縮スプリング６０の緊張力を伝達するために、連結するためのピン３８を支承する緊張力作用方向に案内することができる。スライダ本体５２はまた、後方運動に対する抵抗を生成するウェッジ５６及びウェッジスプリング５８の収容を可能にすることができる。圧縮スプリング６０は、システムが必要とする緊張力を提供する。ウェッジ５６は、ウェッジスプリング５８によってスロット付き本体３４のスロット３６の側面３４ｃとの摩擦接触力を維持するように強制される。摩擦接触力は、運動が方向を反転すべき場合にウェッジ傾斜角度に対して増倍される。
【００２３】
次に図３Ａと図３Ｂを参照すると、機械式テンショナ組立体６２の構造は、付勢スプリング６０から離れて位置するスライダ本体５２の端部に加えることができかつ押すために使用することができる円筒状部分５２ｆを除いて、図２Ａと図２Ｂに関して図示かつ説明した構造と同一であり、図１に示したように無端状ループの動力伝達部材１２の内側からリンク部材３２ａ、３２ｂを引くか又は押す代わりに、無端状ループの動力伝達部材１２の外側に位置する液圧テンショナのピストンと同様である。独立型の機械式テンショナ組立体６２として使用する場合、スロット３６の長手方向端部３６ａ、３６ｂの間の付勢スプリング６０の付勢に反応してスライダ本体５２の移動を可能にしつつ、スライダ本体５２をスロット付き本体３４のスロット３６内に維持するために（図５に示した）座金６８をスロット付き本体３４の反対側のピン３８の外端に組み立てることができる。
【００２４】
次に簡単に図５を参照すると、図３Ａと図３Ｂの機械式テンショナ組立体６２は、無端状ループの動力伝達部材１２の少なくとも１つのテンショニングアーム１８ａ、１８ｂと動作可能に係合可能である一例としてかつ限定なしに液圧テンショナの置き換えのような独立型のテンショナとして使用することができる。複数のストランドのテンショニング装置又は機械１０は、駆動軸と被駆動軸とからそれぞれ支持された駆動スプロケット１４及び少なくとも１つの被駆動プロケット１６ａ、１６ｂの周りに巻回された、一例としてかつ限定なしにベルト又はチェーンのような無端状ループの動力伝達部材１２を含むことができる。望むならガイドロールも設けることができる。動力伝達部材１２の張ったストランド及び弛んだストランドの両方の外側に、テンショニングアーム１８ａ、１８ｂがある。テンショニングアーム１８ａ、１８ｃの各々は、アームの相当の長さに沿って延在する動力伝達部材の摺動面２２ａ、２２ｂを有する巻付け式シューを含む追従性面組立体を有することができる。望むなら、各々のシューは、追従面組立体のポケット内に位置決めされたブレード型スプリングでスプリング荷重することができる。スプリングは、テンショニングアーム１８ａ、１８ｂと、テンショニングアームからシューを変形させる対応するシューとの間に配置することができる。テンショニングアーム１８ａ、１８ｂの各々は、一例としてかつ限定なしに固定ピンを中心として回転するための枢支端部２４ａ、２４ｂのようなアーム移動案内機構２６を有し、この固定ピンは、共通の固定枢支ピン２６ｃであり得る。テンショニングアーム１８ａ、１８ｂの各々は、リンク部材３２ａ、３２ｂを取り付けるためのピン４４ａ、４４ｂを有するリンク端部２８ａ、２８ｂを含み、リンク部材３２ａ、３２ｂは、駆動スプロケット１４と少なくとも１つの被駆動スプロケット１６ａ、１６ｂとの間の動力伝達部材のストランドの外側に位置するピン４４ａ、４４ｂと共に回転できる。動力伝達部材１２、駆動スプロケット１４、被駆動スプロケット１６ａ、１６ｂ、及びテンショニングアームシューのスプリング荷重は、望ましい任意の従来の構造であることができる。
【００２５】
なお図５を参照すると、動力伝達部材のストランドの内側に、好ましくは動力伝達部材の中心線（すなわち、動力伝達部材の２つのストランドの間に等距離に間隔を空けた線）に沿って、堅固に固定された任意の本体４６により、駆動スプロケット１４と少なくとも１つの被駆動スプロケット１６ａ、１６ｂとの間に略延在する外端を有するスロット４８が画定される。固定された本体４６は、無端状ループの動力伝達部材１２に対し略中央に、かつ当該伝達部材１２の内側に位置する。リンク組立体６４は、第１のリンク部材３２ａと第２のリンク部材３２ｂとを有する。自由運動ピン６６は、スロット４８に維持されかつリンク部材３２ａの第１の端部４０ａ及びリンク部材３２ｂの第１の端部４０ｂに対して枢支拘束され、自由運動ピン６６を備えるスロット４８によって画定された端部に対するリンク部材３２ａ、３２ｂの第１の端部４０ａ、４０ｂの両方の移動を制限する。第１のテンショニングアーム１８ａのリンク端部２８ａは、リンク部材３２ａの第２の端部４２ａに枢支取付けされる。両方のテンショニングアーム１８ａ、１８ｂの枢支端部２４ａ、２４ｂは、共通の固定枢支ピン２６ｃのようなアーム移動案内機構２６に枢支取付けすることができる。第２のテンショニングアーム１８ｂのリンク端部２８ｂは、リンク部材３２ｂの第２の端部４２ｂに枢支取付けされる。テンションドライバ機構６２は、テンショニングアーム１８ａ、１８ｂの一方と動作可能に係合、連結又は接触する外端５２ｆで、外側方向にスプリング付勢されたスライダ本体５２を受容するために堅固に固定されたスロット付き本体３４を有することができる。テンションドライバ機構６２のスライダ本体５２が付勢スプリング６０で固定スロット付き本体３４から外側に付勢されると、スライダ本体５２の外端５２ｆは、テンショニングアーム１８ａ、１８ｂの一方に直接又は間接的に力を加える。図５に示したように、一例としてかつ限定なしに、スライダ本体５２の外端５２ｆは、ピン４４ａに隣接するテンショニングアーム１８ａに係合し、テンショニングアーム１８ａのリンク端部に枢支モーメントを提供し、緊張力を作用させて動力伝達部材の中心線に向かって第１のテンショニングアーム１８ａを移動させつつ、リンク部材３２ａの端部４０ａが固定本体３４のスロット４８内のピン６６と共に回転するように強制する。リンク部材３２ｂの第１の端部４０ｂがリンク部材３２ａの第１の端部４０ａに枢支して取り付けられることにより、リンク部材３２ｂもピン６６を有する固定本体４６のスロット４８で移動して、第２のテンショニングアーム１８ｂを動力伝達部材の中心線に向かって移動させ、これによって、両方のストランドでほとんど同時にかつほとんど等しく動力伝達部材１２に緊張力を作用させる。望むなら、機械式テンショナ６２は、リンク組立体６４なしに単一のテンショニングアーム１８ａ又は１８ｂに使用することができることを認識すべきである。
【００２６】
次に図４Ａと図４Ｂを参照すると、機械式テンショナ組立体６２の構造は、少なくとも１つのウェッジスプリング５８を２つのワイヤ形態のスプリング５８ａで置き換えるために改変することができるスライダ本体５２を除いて、図２Ａと図２Ｂに関して図示かつ説明した構造と同一であり、各々ウェッジ５６用の１つのスプリング５８ａは、ヨーク３０の貫通スロット３０ａに位置しかつ各々のウェッジ５６の小さな側面のスロット５６ｂに閉じ込められ、ウェッジ５６をスロット付き本体３４のスロットの側面３４ｃと強制接触させる。
【００２７】
これらの構造のいずれにおいても、このような複数のストランドのテンショニング装置１０を使用する動力伝動システムは、シュー２０ａ、２０ｂを有する１対のアーム１８ａ、１８ｂが両側に配置される連続的なチェーン１２又はベルトループによって巻回された駆動スプロケット１４及び少なくとも１つの被駆動スプロケット１６ａ、１６ｂを含むことができ、シューは、スプロケットに向かって内側方向に面しかつチェーンループの張ったストランド及び弛んだストランドと接触する摩耗面を有する。各々のアーム１８ａ、１８ｂは、一方の端部に他方のアームとおそらくは共通であるが、必ずしも共通である必要はない固定枢支部２６ａ、２６ｂと、他方の端部にリンク部材３２ａ、３２ｂを介して互いにかつスライダ組立体５０に連結するためのリンク組立体とを有することができる。この複数のストランドのテンショニング装置１０は、スロット３６を固定するために堅固に固定された本体３４を画定するスロットを含むことができ、その端部は、略スプロケット１４、１６ａ、１６ｂを指し、中心線はチェーンの内側に対して幾分中央にある。スロット３６の長さ内の移動に対して拘束されたスライダ本体５２は、第１のリンク部材３２ａの第１の端部４０ａに、かつ第２のリンク部材３２ｂの第１の端部４０ｂに枢支取付けされる。第１のリンク部材３２ａの第２の端部４２ａは、第１のテンショニングアーム１８ａのリンク端部２８ａに枢支取付けされる。第２のリンク部材３２ｂの第２の端部４２ｂは、第２のテンショニングアーム１８ｂのリンク端部２８ｂに枢支取付けされる。
【００２８】
機械式テンショナ機構６２は、スライダ組立体５０と、リンク部材３２ａ、３２ｂを含むリンク組立体６４とを含むことができ、チェーンの中心線に向かってテンショニングアーム１８ａ、１８ｂを共に引き、テンショニングアーム１８ａ、１８ｂの間のチェーンストランドに等しくかつ同時に緊張力を作用させるか又は締め付ける。テンショニングアーム１８ａ、１８ｂを共に連接することによって、一方のチェーンストランドの振動が他方のチェーンストランドに連接され、振動が一般に中和される。テンショニングアーム１８ａ、１８ｂを単一の機械式テンショナ機構６２に共に連接することによって、ストランドが等しい場合、力は両方のテンショニングアーム１８ａ、１８ｂの間に等しく分割される。チェーンの一方のストランドが引き締められた場合、テンショニングアーム１８ａ、１８ｂが連結されるので、他方のストランドが弛まなければならない。ストランドの引き締めに耐えるために、合計の緊張力が加えられる。複数のストランドのテンショニング装置はまた、摩耗した細長いチェーン１２に緊張力を作用させるために必要な追加の緊張力作用を可能にする。テンショニングアーム１８ａ、１８ｂは連結され、またチェーンストランドに緊張力を作用させることが、２つのテンショニングアーム１８ａ、１８ｂの間で等しくかつ同時であるので、チェーンの長さの増大は各々のチェーンストランドに等しく吸収され、チェーンの寿命全体にわたって駆動スプロケット１４と被駆動スプロケット１６ａ、１６ｂとの時間的関係を維持し、チェーンの伸長による順次タイミングの変化を補償する必要性を排除し、かつエンジンの寿命にわたってエンジン性能を強化する。細長い摩耗したチェーン１２に緊張力を作用させるために、機械式テンショナ機構６２は、対向するテンショニングアーム１８ａ、１８ｂがチェーンの中心線に向かってさらに引かれるようにさせ、堅固に固定された本体３４は、チェーンの弛んだまた張ったストランド部分を同時にかつほとんど等しく締め付けるか又は緊張力を作用させる。機械式テンショナ機構６２は、二重ストランドに緊張力を作用させるために使用されるとき、より優れた制御及びノイズ防止のためにおそらく追従面を使用する必要があろうことが信じられる。追従面はまた、テンションスプリング力の低減、したがって寄生摩擦の低減を可能にする。
【００２９】
機械１０は、それぞれの間隔を空けた軸線を中心に回転可能な間隔を空けた装置１４、１６ａ、１６ｂの曲率半径に従うために、無端状ループを形成する動力伝達部材１２の複数のストランドに緊張力を付与する。各々の装置１４、１６ａ、１６ｂは、間隔を空けた装置１４、１６ａ、１６ｂの間の動力伝達部材１２の意図する動力伝達係合のために回転軸線から半径方向に間隔を空けた駆動面を有する。機械は、互いに独立した枢支運動のためにそれぞれの外端２８ａ、２８ｂにおいて互いに間隔を空けた２つのテンショニングアーム１８ａ、１８ｂを含む。２つのテンショニングアーム１８ａ、１８ｂは、チェーン摺動面２２ａ、２２ｂを有する内側方向に面するシュー２０ａ、２０ｂを支持する。リンク組立体６４は、それぞれの第１の端部４０ａ、４０ｂで互いに枢支連結された少なくとも２つのリンク部材３２ａ、３２ｂを含むことができる。連結された第１の端部４０ａ、４０ｂは、間隔を空けた装置１４、１６ａ、１６ｂの間の無端状ループ１２の略中心線に沿って延在する固定スロット３６に沿った移動を制限するために拘束される。少なくとも２つのリンク部材３２ａ、３２ｂは、第１の端部４０ａ、４０ｂから間隔を空けた第２の位置４２ａ、４２ｂにおいて、２つの間隔を空けたテンショニングアーム１８ａ、１８ｂの反対側の外端２８ａ、２８ｂに個別に枢支連結される。付勢スプリング６０は、両方のストランドでほとんど同時にかつほとんど等しく動力伝達部材１２に緊張力を作用させるための運動で、スライダ組立体５０と、リング組立体６４と、連結されたテンショニングアーム１８ａ、１８ｂとを駆動することができる。
【００３０】
現在最も実用的かつ好ましい実施形態であると考えられるものに関連して本発明について説明してきたが、本発明は、開示した実施形態に限定されず、反対に、添付した特許請求の範囲の精神及び範囲内に含まれる様々な修正及び等価の構成を包含するように意図され、その範囲は、法律の下に許容されるようなすべての修正及び等価の構造を包含するように最も広義な解釈に準じるべきであることを理解すべきである。
【図１】
2013526691.tif 000003
【図２Ａ】
2013526691.tif 000004
【図２Ｂ】
2013526691.tif 000005
【図３Ａ】
2013526691.tif 000006
【図３Ｂ】
2013526691.tif 000007
【図４Ａ】
2013526691.tif 000008
【図４Ｂ】
2013526691.tif 000009
【図５】
2013526691.tif 000010
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
駆動スプロケット（１４）と少なくとも１つの被駆動スプロケット（１６ａ、１６ｂ）とを取り囲む無端状ループの動力伝達部材（１２）に緊張力を付与するためのテンショニングシステム（１０）であって、
少なくとも１つのテンショニングアーム（１８ａ、１８ｂ）であって、各々のテンショニングアーム（１８ａ、１８ｂ）が無端状ループの動力伝達部材（１２）に対する移動のために取り付けられ、かつ摺動面（２２ａ、２２ｂ）を有するシュー（２０ａ、２０ｂ）を有する少なくとも１つのテンショニングアーム（１８ａ、１８ｂ）と、
外端を有するスロット（３６）を画定する堅固に固定されたスロット付き本体（３４）を有するスライダ組立体（５０）を含む一方向の減衰機構（６２）を有する機械式テンショナと、前記固定されたスロット付き本体（３４）の前記スロット（３６）に維持され、かつ前記無端状ループの動力伝達部材（１２）に対して前記少なくとも１つのテンショニングアーム（１８ａ、１８ｂ）を駆動して移動させるために前記少なくとも１つのテンショニングアーム（１８ａ、１８ｂ）に動作可能に連結されたスライダ本体（５２）と、前記スライダ本体（５２）を所定の方向に付勢するために、前記固定されたスロット付き本体（３４）と前記スライダ本体（５２）との間に係合可能な付勢スプリング（６０）とを備え、前記スライダ本体（５２）が、前記スライダ本体（５２）と、前記スロット付き本体（３４）の前記スロット（３６）を画定する側壁（３４ｃ）との間のポケット（５２ａ）と、前記スライダ本体（５２）が前記付勢スプリング（６０）の付勢に対抗して移動するときに、前記側壁（３４ｃ）に向かって移動するために前記ポケット（５２ａ）に位置する１対のウェッジ（５６）と、前記スロット付き本体（３４）の前記側壁（３４ｃ）に向かって前記ウェッジ（５６）を付勢するウェッジスプリング（５８）とを画定する、
テンショニングシステム（１０）。
【請求項２】
各々のテンショニングアーム（１８ａ、１８ｂ）がリンク枢支部（２８ａ、２８ｂ）を有する１対のテンショニングアーム（１８ａ、１８ｂ）を含む前記少なくとも１つのテンショニングアーム（１８ａ、１８ｂ）と、
第１及び第２のリンク部材（３２ａ、３２ｂ）を含むリンク組立体（６４）であって、各々のリンク部材（３２ａ、３２ｂ）が、対応する第１の端部（４０ａ、４０ｂ）と、対応する第２の端部（４２ａ、４２ｂ）とを有し、各々の第２の端部（４２ａ、４２ｂ）が、前記１対のテンショニングアーム（１８ａ、１８ｂ）の一方の前記対応するリンク枢支部（２８ａ、２８ｂ）に連結されるリンク組立体（６４）と、
をさらに備える、請求項１に記載のテンショニングシステム（１０）。
【請求項３】
前記無端状ループの動力伝達部材（１２）に対し略中央にまた前記伝達部材（１２）の内側に位置し、かつ前記駆動スプロケット（１４）と前記少なくとも１つの被駆動スプロケット（１６ａ、１６ｂ）との間に延在する前記固定されたスロット付き本体（３４）と、前記スロット（３６）によって画定される運動に対して両方の第１の端部（４０ａ、４０ｂ）を制限するために、前記第１及び第２のリンク部材（３２ａ、３２ｂ）の前記第１の端部（４０ａ、４０ｂ）に枢支拘束された前記スライダ本体（５２）とをさらに備える、請求項２に記載のテンショニングシステム（１０）。
【請求項４】
前記スライダ組立体（５０）が、前記スロット付き本体（３４）の前記スロット（３６）内に前記スライダ本体（５２）を維持するための前記スロット付き本体（３４）の両側の前記リンク部材（３２ａ、３２ｂ）に取り付けるために、前記スライダ本体（５２）に連結されかつ反対側の前記スロット付き本体（３４）を越えて前記スライダ本体（５２）から外側に延在するピン（３８）をさらに備える、請求項２に記載のテンショニングシステム（１０）。
【請求項５】
前記スライダ組立体（５０）が、
前記スライダ本体（５２）を通して延在するウェッジスプリング受容開口（５２ｅ）を画定する前記スライダ本体（５２）と、
前記スライダ本体（５２）の前記ウェッジスプリング受容貫通開口（５２ｅ）と同軸のウェッジスプリング受容ブラインド開口（５２ｃ）を画定する各々のウェッジ（５６）と、
前記同軸のウェッジスプリング受容開口（５２ｅ）内に位置する圧縮スプリングを画定する前記ウェッジスプリング（５８）と、
をさらに備える、請求項１に記載のテンショニングシステム（１０）。
【請求項６】
前記スライダ組立体（５０）が、前記スロット付き本体（３４）の前記スロット（３６）と係合しかつ前記スロットと共に移動するために前記スライダ本体（５２）に連結されたヨーク（３０）をさらに備える、請求項１に記載のテンショニングシステム（１０）。
【請求項７】
前記スライダ組立体（５０）が、
ウェッジスプリング受容スロット（３０ａ）を画定する前記ヨーク（３０）と、
前記ヨーク（３０）の前記ウェッジスプリング受容スロット（５２ｇ）と位置合わせされたウェッジスプリング受容スロット（５６ｂ）を画定する各々のウェッジ（５６）と、
前記位置合わせされたウェッジスプリング受容スロット（５２ｇ、５６ｂ）内に位置するワイヤ形態のスプリングを画定する前記ウェッジスプリング（５８ａ）と、
をさらに備える、請求項６に記載のテンショニングシステム（１０）。
【請求項８】
前記スライダ組立体（５０）が、付勢スプリング（６０）で前記少なくとも１つのテンショニングアーム（１８ａ、１８ｂ）に力を加えるために、前記スライダ本体（５２）に連結されかつ前記スロット（３６）の一方の端部（３６ｂ）から前記スライダ本体（５２）から外側方向に延在するピン（５２ｆ）をさらに備える、請求項１に記載のテンショニングシステム（１０）。
【請求項９】
それぞれの間隔を空けた回転軸線を中心に回転可能な間隔を空けた装置（１４、１６ａ、１６ｂ）の曲率半径に従うために、無端状ループの動力伝達部材（１２）の複数のストランドに緊張力を付与するための、また各々の装置（１４、１６ａ、１６ｂ）が、前記間隔を空けた装置（１４、１６ａ、１６ｂ）の間の前記無端状ループの動力伝達部材（１２）の意図する動力伝達係合のために回転軸線から半径方向に間隔を空けた駆動面を有する機械（１０）であって、
互いに独立した案内運動のためにそれぞれの外端（２８ａ、２８ｂ）において互いに間隔を空けた２つのテンショニングアーム（１８ａ、１８ｂ）であって、摺動面（２２ａ、２２ｂ）を有する内側方向に面するシュー（２０ａ、２０ｂ）を支持する２つのテンショニングアーム（１８ａ、１８ｂ）と、
スライダ組立体（５０）とリンク組立体（６４）とを含むテンショナ機構（６２）であって、前記スライダ組立体（５０）が、前記間隔を空けた装置（１４、１６ａ、１６ｂ）の間に位置する前記無端状ループの動力伝達部材（１２）の中心線に沿って略延在するスロット（３６）を画定する固定されたスロット付き本体（３４）を含むテンショナ機構（６２）と、前記スロット（３６）の反対側の長手方向端部の間の移動を制限するために前記スロット内で係合するスライダ本体（５２）と、前記スロット（３６）の一方の長手方向端部に向かって前記スライダ本体（５２）を付勢するための付勢スプリングとを備え、
前記リンク組立体（６４）が、それぞれの第１の端部（４０ａ、４０ｂ）において互いに枢支連結された少なくとも２つのリンク部材（３２ａ、３２ｂ）を有し、前記連結された第１の端部（４０ａ、４０ｂ）が、前記スロット（３６）に沿った移動を制限するために拘束され、前記少なくとも２つのリンク部材（３２ａ、３２ｂ）が、前記第１の端部（４０ａ、４０ｂ）から間隔を空けた第２の位置（４２ａ、４２ｂ）において、前記２つの間隔を空けたテンショニングアーム（１８ａ、１８ｂ）の反対側のそれぞれの外端（２８ａ、２８ｂ）に個別に枢支連結され、前記テンショナ機構（６２）が、両方のストランドでほとんど同時にかつほとんど等しく前記無端状ループの動力伝達部材（１２）に緊張力を作用させるための運動で前記テンショニングアーム（１８ａ、１８ｂ）を駆動するためにあり、前記スライダ本体（５２）が、前記スライダ本体（５２）と、前記スロット付き本体（３４）の前記スロット（３６）を画定する側壁（３４ｃ）との間のポケット（５２ａ）と、前記スライダ本体（５２）が前記付勢スプリング（６０）の付勢に対抗して移動するときに、前記側壁（３４ｃ）に向かって移動するために前記ポケット（５２ａ）に位置する１対のウェッジ（５６）と、前記スロット付き本体（３４）の前記側壁（３４ｃ）に向かって前記ウェッジ（５６）を付勢するウェッジスプリング（５８）とを画定する、
機械（１０）。
【請求項１０】
前記スライダ組立体（５０）が、
前記スライダ本体（５２）を通して延在するウェッジスプリング受容開口（５２ｅ）を画定する前記スライダ本体（５２）と、
前記スライダ本体（５２）の前記ウェッジスプリング受容貫通開口（５２ｅ）と同軸のウェッジスプリング受容ブラインド開口（５２ｃ）を画定する各々のウェッジ（５６）と、
前記同軸のウェッジスプリング受容開口（５２ｅ）内に位置する圧縮スプリングを画定する前記ウェッジスプリング（５８）と、
をさらに備える、請求項９に記載の機械。
【請求項１１】
前記スライダ組立体（５０）が、前記スロット付き本体（３４）の前記スロット（３６）と係合しかつ前記スロットと共に移動するために前記スライダ本体（５２）に連結されたヨーク（３０）をさらに備える、請求項１０に記載の機械。
【請求項１２】
前記スライダ組立体（５０）が、
ウェッジスプリング受容スロット（３０ａ）を画定する前記ヨーク（３０）と、
前記ヨーク（３０）の前記ウェッジスプリング受容スロット（５２ｇ）と位置合わせされたウェッジスプリング受容スロット（５６ｂ）を画定する各々のウェッジ（５６）と、
前記位置合わせされたウェッジスプリング受容スロット（５２ｇ、５６ｂ）内に位置するワイヤ形態のスプリングを画定する前記ウェッジスプリング（５８ａ）と、
をさらに備える、請求項１０に記載の機械。
【請求項１３】
前記スライダ組立体（５０）が、前記スロット付き本体（３４）の前記スロット（３６）内に前記スライダ本体（５２）を維持するための前記スロット付き本体（３４）の両側の前記リンク部材（３２ａ、３２ｂ）に取り付けるために、前記スライダ本体（５２）に連結されかつ反対側の前記スロット付き本体（３４）を越えて前記スライダ本体（５２）から外側に延在するピン（３８）をさらに備える、請求項１０に記載の機械。
【請求項１４】
前記スライダ組立体（５０）が、前記付勢スプリング（６０）で前記テンショニングアーム（１８ａ、１８ｂ）に力を加えるために、前記スライダ本体（５２）に連結されかつ前記スロット（３６）の一方の端部（３６ｂ）から前記スライダ本体（５２）から外側方向に延在するピン（５２ｆ）をさらに備える、請求項１０に記載の機械。
【請求項１５】
それぞれの間隔を空けた回転軸線を中心に回転可能な間隔を空けた装置（１４、１６ａ、１６ｂ）の曲率半径に従うために、無端状ループの動力伝達部材（１２）の少なくとも１つのストランドに緊張力を付与するための、また各々の装置（１４、１６ａ、１６ｂ）が、前記間隔を空けた装置（１４、１６ａ、１６ｂ）の間の前記無端状ループの動力伝達部材（１２）の意図する動力伝達係合のために回転軸線から半径方向に間隔を空けた駆動面と、前記無端状ループの動力伝達部材（１２）に対して独立して移動するために取り付けられ、かつ摺動面（２２ａ、２２ｂ）を有する内側方向に面するシュー（２０ａ、２０ｂ）を支持する少なくとも１つのテンショニングアーム（１８ａ、１８ｂ）とを有する機械（１０）であって、
スライダ組立体（５０）を含むテンショナ機構（６２）であって、前記スライダ組立体（５０）が、スロット（３６）を画定する固定されたスロット付き本体（３４）と、前記スロット（３６）の反対側の長手方向端部の間の移動を制限するために前記スロット（３６）内で係合するスライダ本体（５２）と、前記スロット（３６）の一方の長手方向端部に向かって前記スライダ本体（５２）を付勢するための付勢スプリングとを有し、前記テンショナ機構（６２）が、前記無端状ループの動力伝達部材（１２）の少なくとも１つのストランドに緊張力を作用させるための運動で前記少なくとも１つのテンショニングアーム（１８ａ、１８ｂ）を駆動するために前記少なくとも１つのテンショニングアーム（１８ａ、１８ｂ）と動作可能に係合可能である、
機械（１０）。
【国際調査報告】
2013526691.tif 000011
2013526691.tif 000012